(57)【要約】      （修正有）【課題】Ｌ字状の突出部を有する基礎ブロックを配置することができない場所でも、簡単かつ安価に連結が可能になる基礎ブロックの連結構造を提供する。【解決手段】壁部と底部がＬ字状を呈する基礎ブロック同士１を連結するに際して、Ｌ字状突出部を有しない板状の基礎ブロックＢを介在させて連結させる。特に、壁部と底部がＬ字状を呈する基礎ブロック同士をコーナー角や所定角度で連結するに際して有効である。【選択図】図５
0003212726.tif 000002
【実用新案登録請求の範囲】
【請求項１】
壁部と底部がＬ字状を呈する基礎ブロック同士を連結するに際して、前記Ｌ字状突出部を有しない板状の基礎ブロックを介在させて連結させることを特徴とする基礎ブロックの連結構造。
【請求項２】
壁部と底部がＬ字状を呈する基礎ブロック同士をコーナー角や所定角度で連結するに際して、前記Ｌ字状突出部を有しない板状の基礎ブロックを介在させて連結させることを特徴とする請求項１記載の基礎ブロックの連結構造。
【請求項３】
前記Ｌ字状を呈する基礎ブロック又は前記Ｌ字状突出部を有しない板状の基礎ブロックの壁部にフェンスや柵などを取り付ける取り付け穴が設けられるとともに、この取り付け穴に貯まる水を抜くための水抜き穴が設けられていることを特徴とする請求項１又は２記載のフェンス埋設用基礎ブロック。
【請求項４】
前記Ｌ字状を呈する基礎ブロック又は前記Ｌ字状突出部を有しない板状の基礎ブロックの壁部に水抜き穴がその側面部に設けられるとともに、その水抜き穴に差し込まれるピンを介して前記Ｌ字状を呈する基礎ブロック又は前記Ｌ字状突出部を有しない板状の基礎ブロックが連結されることを特徴とする請求項３記載のフェンス埋設用基礎ブロック。
【考案の詳細な説明】
【技術分野】
【０００１】
本考案は、土地の境界などに埋設するための基礎ブロックの連結構造に関する。
【背景技術】
【０００２】
本物品は土地の境界などに埋設するための基礎ブロックが配置される。その一例としては、壁部と底部がＬ字状を呈する基礎ブロック同士を連結する基礎ブロックがある（特許文献１から３）。しかし、コーナー角で連結するに際しては、Ｌ字状の横方向に突出する突出底部が互いに衝突してしまう。このため、その対応策が必要になる。
【０００３】
例えば特許文献２は、その段落００２５に、「また、本件考案に係る間仕切り壁１’は、隣接する間仕切り壁１と直角に連結する場合に、底版２，２’同士の重なり合う部分を切り欠いて、凹部４’を当該隣接する間仕切り壁の凹部４に対応する位置に形成したものであることが好ましい。」と記載され、段落００２６に、「図５は、本件考案に係る間仕切り壁同士の図３とは異なる連結構造を説明するための図である。本件考案に係る間仕切り壁１’は、底版２’の一部を切り欠き、且つ当該間仕切り壁１’に形成される凹部４’の位置を変更することで、間仕切り壁１，１’同士を直角に連結することが可能となる。ここで、図５に示す本件考案に係る間仕切り壁１’は、当該間仕切り壁１’に形成された凹部４’を当該隣接する間仕切り壁１の凹部４に対応する位置に形成し、間仕切り壁１，１’の左右端部側に形成された凹部４，４’内に配されたボルト１０とナット１３とを用いて隣接する間仕切り壁１，１’同士を強固に連結することが出来る。このように、本件考案に係る間仕切り壁１’によれば、隣接する間仕切り壁１と直角に連結することができ、また、全て直線状の間仕切り壁１，１’のみを用いることで製造コストの増大や施工作業の複雑化を防ぐことが出来る。」ことが記載されている。  また特許文献３は、二方向から接近する二つのプレキャスト製のＬ型擁壁ブロックの間に擁壁コーナー部を構築する方法において、前記擁壁コーナー部の隅角部位に３０〜１７０度の角度をなして連続する二つの縦壁部を備えたプレキャスト製の隅角ブロックを配置し、前記隅角ブロックの二つの縦壁部と二つのＬ型擁壁ブロックの縦壁部との間にそれぞれ一つの縦壁部を備えたプレキャスト製の縦板状ブロックを配置し、前記隅角ブロック、縦板状ブロック及びＬ型擁壁ブロックの隣り合う縦壁部同志を連結し、前記隅角ブロックの下端部と縦板状ブロックの下端部と二つのＬ型擁壁ブロックの底盤部とで囲まれる部位に擁壁コーナー部の底盤部を設けることを特徴とする擁壁コーナー部の構築方法。」（その請求項１）ことが記載されている。
【先行技術文献】
【特許文献】
【０００４】
【特許文献１】意匠登録第１３６２５１６号公報
【特許文献２】実用新案登録第３１８５４１３号公報
【特許文献３】特許第２８９０１１１号公報
【考案の概要】
【考案が解決しようとする課題】
【０００５】
前記Ｌ字状の突出部を有する基礎ブロックをコーナー角で連結する場合、突出部が互いに衝突してしまうが、この場合、Ｌ字状のコーナー角用の基礎ブロックを製造することで対応すると（特許文献２）、製造コストが高価になる問題を有する。一方、特許文献２のように、一部を切り欠いた基礎ブロックを製造すると、大型の基礎ブロックを別途製造する必要があり、製造コストが高価になる。
また、基礎ブロックを埋設する箇所においては、障害物があるために、前記Ｌ字状の突出部を有する基礎ブロックを使用することができない場所がある。
【０００６】
そこで本考案の目的は、前記Ｌ字状の突出部を有する基礎ブロックを配置することができない場所でも、簡単かつ安価に連結が可能な基礎ブロックの連結構造を提供することにある。
【課題を解決するための手段】
【０００７】
本考案は、壁部と底部がＬ字状を呈する基礎ブロック同士を連結するに際して、前記Ｌ字状突出部を有しない板状の基礎ブロックを介在させて連結させることを特徴とする。
本考案によれば、従来のＬ字状を呈する基礎ブロックのように、底部突出部が邪魔になるような箇所や、障害物があるためにＬ字状の突出部を有する基礎ブロックを使用できない箇所においても、基礎ブロック同士を連結することができる。
【０００８】
本考案は、壁部と底部がＬ字状を呈する基礎ブロック同士をコーナー角や所定角度で連結するに際して、前記Ｌ字状突出部を有しない板状の基礎ブロックを介在させて連結させることを特徴とする。
本考案によれば、コーナー角や所定角度をおいて連結する必要の基礎ブロックとして、前記突出部のない板状の基礎ブロックを介在させるので、従来のＬ字状を呈する基礎ブロックのような衝突してしまう事態を回避して基礎ブロック同士を連結することができる。
【０００９】
本考案としては、前記Ｌ字状を呈する基礎ブロック又は前記Ｌ字状突出部を有しない板状の基礎ブロックの壁部にフェンスや柵などを取り付ける取り付け穴が設けられるとともに、この取り付け穴に貯まる水を抜くための水抜き穴が設けられていることを特徴とする。
本考案によれば、フェンス用穴や柵用の穴の中に溜まる雨水等の凍結による膨張を原因とする製品クラックを防止することができる。また、上記穴に貯まる雨水等を排水するための水抜き穴から上記穴に貯まる水を排出することができる。
また、本考案としては、前記Ｌ字状を呈する基礎ブロック又は前記Ｌ字状突出部を有しない板状の基礎ブロックの壁部に水抜き穴がその側面部に設けられるとともに、その水抜き穴に差し込まれるピンを介して前記Ｌ字状を呈する基礎ブロック又は前記Ｌ字状突出部を有しない板状の基礎ブロックが連結されることを特徴とする。
本考案によれば、前記水抜き穴を介してピンを差し込むことで、前記Ｌ字状を呈する基礎ブロック又は前記Ｌ字状突出部を有しない板状の基礎ブロックを連結することができる。
【考案の効果】
【００１０】
本考案によれば、障害物があるために前記Ｌ字状を呈する基礎ブロックを埋設できない箇所や、コーナー角のように前記Ｌ字状を呈する基礎ブロック同士を配置することができない箇所においても、簡易かつ安価に前記Ｌ字状を呈する基礎ブロック又は前記Ｌ字状突出部を有しない板状の基礎ブロックを連結することができる。
【図面の簡単な説明】
【００１１】
【図１】本考案の一実施形態の基礎ブロックを示す正面図である。
【図２】上記実施形態の基礎ブロックを示す側面図である。
【図３】上記実施形態の基礎ブロックの連結状態を示す斜視図である。
【図４】上記実施形態の基礎ブロックの連結状態を示す斜視図である。
【図５】上記実施形態の基礎ブロックの連結状態を示す斜視図である。
【図６】上記実施形態の基礎ブロックの連結状態を示す斜視図である。
【図７】上記実施形態の基礎ブロックの連結状態を示す斜視図である。
【考案を実施するための形態】
【００１２】
以下、本考案を実施するための一形態について図面を引用しながら説明する。
【００１３】
図１は、本考案の第１の実施形態の基礎ブロックを示す斜視図であり、図２は、上記実施形態の基礎ブロックを示す側面図である。
本実施の形態の基礎ブロック１は、底部３と、底部３から立設された壁部２とからなる断面Ｌ字形状を呈する基礎ブロック１である。基礎ブロック１の底部３は、土Ｔに埋設される部分であり、垂直方向に突出する突出部分３ａが設けられている（図６）。前記突出部分３ａの下面は砕石が配置されることが好ましい。このような断面Ｌ字状の基礎ブロック１は、施工安定性に優れ、施工作業の効率化が図られる。断面Ｌ字状の突出部分３ａは、下り勾配で形成されている。これは、Ｌ字状の突出部分を型から抜くときには、同じ平行な幅であると抜き難くなることから、通常は下り勾配になることが多いことによる。しかし、平行に突出するものでも良い。
本実施の形態の基礎ブロック１の大きさは、その垂直方向の高さが７００ｍｍ〜９００ｍｍ程度であり、底部３の厚さが３００ｍｍ程度、壁部２の厚さが１５０ｍｍ程度である。
【００１４】
基礎ブロック１の壁部２は、その表面に格子状の凹凸模様Ｍが施されている。格子状の凹凸模様Ｍは、コンクリートの持つ固さを和らげる模様Ｍであるが、その幅Ｈ１は底部３の幅Ｈ２の内側に入り込むようにしており、格子状の凹凸模様Ｍが外側に突出しないようにされている（図２において、Ｈ１＜Ｈ２）。すなわち、壁部２の幅Ｈ１は、底部３の側面の幅Ｈ２よりも内側になるように模様Ｍが形成されている。連結用の基礎ブロック１の壁部２には、連結するときの面となる面一部８が設けられている（図７）。
本実施の形態の基礎ブロック１には、底部３の両側面には隣り合う基礎ブロックとボルトで接続するためのフランジ４が設けられる穴７が設けられている。なお、Ｌ字状の基礎ブロック１の左右の端部にも、前記格子状の凹凸模様Ｍを形成することは可能である。
ここで、本実施の形態の基礎ブロック１には、フェンスを取り付けたり柵などを立設させたりすることができるが、これらを配置しないで、基礎ブロック１の状態のまま使用されることともある。フェンスや柵を取り付けるときは、壁部２の上面の穴９を介して取り付ける。そして、壁部２にはピン６をはめ込むための穴（フェンスの水抜き穴）５が設けられているが、これはフェンスのための穴９からの水抜き穴５にピン６を差し込む穴としていることで、Ｌ字状を呈する基礎ブロック１同士や連結用の基礎ブロックＢとの連結が簡単になる。これは、フェンス用穴９や柵用の穴の中に溜まる雨水等の凍結による膨張を原因とする製品クラックを防止するためである。また、上記穴に貯まる雨水等を排水するための水抜き穴から上記穴９に貯まる水を排出することができる。
【００１５】
したがって、上記Ｌ字形状の基礎ブロック同士を連結する場合には、互いに連結させてボルトやピン６により連結させるが、連結用の基礎ブロックＢを介在させる場合は、面一の部分（模様Ｍのない部分）を接触させてＬ字状に連結させる。
また、直線的に配置する場合は、図３に示すように、Ｌ字状を呈する基礎ブロック同士の間に上記連結用の基礎ブロックＢを配して、Ｌ字状の基礎ブロック同士１，１を連結させることも可能である。この場合は、上記連結用の基礎ブロック５のボルト連結のための穴８の位置は、連結方向に変更される。また、Ｌ字状の基礎ブロック１の左右の端部にも、前記格子状の凹凸模様Ｍを形成することは可能である。記連結用の基礎ブロックＢの位置に障害物がある場合などに有意義な施工である。
次に、壁部２と底部３がＬ字状を呈する基礎ブロック同士をコーナー角で連結するに際しては、前記Ｌ字状の突出部を有しない板状の基礎ブロックＢを介在させて連結させる。これにより、従来のＬ字状を呈する基礎ブロック１のような衝突してしまう事態を回避して、Ｌ字状の基礎ブロック１と１を連結することができる（図４〜図６）。
【００１６】
以上、本実施の形態においては、前記Ｌ字状の突出部を有しない板状の基礎ブロックＢは、直線的な連結の場合とコーナー角での連結する場合を例に説明したが、所定角度で連結する場合にも適用可能である。
【符号の説明】
【００１７】
１    基礎ブロック、
２    底部、
３    壁部、
４    凹部、
５    水抜き穴、
６    ピン
Ｂ    連結用の基礎ブロック、
Ｍ    格子状の凹凸模様、
Ｔ    土
【図１】
0003212726.tif 000003
【図２】
0003212726.tif 000004
【図３】
0003212726.tif 000005
【図４】
0003212726.tif 000006
【図５】
0003212726.tif 000007
【図６】
0003212726.tif 000008
【図７】
0003212726.tif 000009